(57)【要約】【課題】  従来にあっては、筐体内が温度が上昇した場合には送風機を駆動して外気を筐体内に導入して冷却するものであるので、送風機の運転時間が長くなって外気を清浄化するためのフィルタが短期間で汚れるので、短期間でフィルタの交換を行う必要が発生し手間とコストが掛かるといった問題があった。【解決手段】  空気の流路が少なくとも２つ以上形成されるように透明板２と表示素子３および電気回路部５とを配置した筐体１と、該筐体に形成された外気を導入する吸気口８と、前記筐体内の前記流路を通過した空気を外部に排出する排気口９と、前記吸気口から外気を導入し前記排気口から外部に排出させるためのファン１０と、前記吸気口および排気口に閉塞および開放可能に取付けられた風向制御板１１，１２と、該風向制御板を同時に開放状態と閉塞状態に制御する駆動機構１３とより構成した情報表示装置である。【選択図】        図１
2005134849.tif 000002
【特許請求の範囲】
【請求項１】
空気の流路が少なくとも２つ以上形成されるように透明板と表示ユニットおよび電気回路部とを配置した筐体と、該筐体に形成された外気を導入する吸気口と、前記筐体内の前記流路を通過した空気を外部に排気する排気口と、前記吸気口から外気を導入し前記排気口から外部に排気させるためのファンと、前記吸気口および排気口に閉塞および開放可能に取付けられた風向制御板と、該風向制御板を同時に開放状態と閉塞状態に制御する駆動機構とより構成し、前記風向制御板を開放することで外気を筐体内に導入、かつ、排気し、また、風向制御板を閉塞することで筐体内の空気を循環させるようにしたことを特徴とする情報表示装置。
【請求項２】
前記筐体に設けられる吸気口を筐体の背面板における下部位置の両側に２つ配置し、排気口を筐体の背面板における上部位置の中央部に１つ配置すると共に、１つのファンであっても筐体内の空気の淀みを防止したことを特徴する請求項１記載の情報表示装置。
【請求項３】
前記表示ユニットと前記透明板との間の流路に流れる前記吸気口よりの風量を、前記表示ユニットと前記電気回路部との間の流路に流れる風量より多くしたことを特徴とする請求項１記載の情報表示装置。
【請求項４】
前記駆動機構を駆動して前記風向制御板によって閉塞あるいは開放するタイミングを、前記筐体内に設けられた温度センサよりの出力により、あるいは、表示する表示素子の点灯率によって制御するようにしたことを特徴とする請求項１記載の情報表示装置。
【請求項５】
前記駆動機構は、モータによって回転するシャフトと、該シャフトと前記風向制御板とを接続し、かつ、前記シャフトの回転によって各風向制御板を同時に閉塞状態と開放状態とするリンクとで構成したことを特徴とする請求項１記載の情報表示装置。
【発明の詳細な説明】
【技術分野】
【０００１】
本発明は文字や図柄等を表示して、走行中のドライバーに対して道路状況を知らしめて安全走行を促す道路情報表示装置等の情報表示装置であって、該情報表示装置におけるＬＥＤ等の表示素子から発生する熱や太陽光による熱によって、筐体内の温度が上昇するのを防止する情報表示装置に関する。
【背景技術】
【０００２】
道路情報表示装置等の情報表示装置は一般的に野外に設置されるものであることから、雨等の侵入によって筐体内の表示素子を制御するための制御回路や電源回路等が誤動作しないように密閉状態になっている。また、表示素子をドットマトリックス状に配置した表示ユニットと筐体との隙間を防水構造としているが、表示ユニットを防水構造とするためにはコスト高になる等の理由から、近年では表示ユニットの前面に硝子等の透明板で覆った情報表示装置が使われるようになっている。このように、筐体内を完全な密閉状態とすると、前記表示素子からの熱や前記電気回路部分からの熱および太陽による直射熱によって筐体内の温度が高くなるという問題が発生していた。
【０００３】
そこで、このような筐体内の温度を低下させるために、筐体内に筐体内の空気を循環させる装置および筐体内に外気を導入して冷却する装置の２つの方法の装置が提案されている。前記筐体内の空気を循環させる装置として実開平５−６６６７４号が、また、外気を導入する装置として特開２０００−３５６９５６号がある。
【０００４】
前記筐体内の空気を循環させる技術は、筐体内を遮風幕によって循環させるための流路を形成し、ファンによって空気を循環させることで表示ユニットを冷却するものであり、また、外気を導入する技術は、筐体の背面にフィルタが取付けられた吸気口を設置し、熱発生源の部分に空気の流れる流路を形成し、前記吸気口からファンによって導入した空気を前記流路を通過させた後に筐体の背面に設置された排気口から排気することで筐体内を冷却するものである。
【特許文献１】実開平５−６６６７４号公報
【特許文献２】特開２０００−３５６９５６号公報
【発明の開示】
【発明が解決しようとする課題】
【０００５】
ところで、前記した筐体内の空気を循環させる技術にあっては、表示素子からの熱や電源ユニットを含む電気回路部分からの熱および太陽による直射熱によって筐体内の温度が非常に高くなった場合には、筐体内の空気を循環させるのみでは十分に筐体内を冷却することができずに、表示素子の輝度低下が早くなったり、電気回路が熱によって故障する等の問題があった。
【０００６】
また、送風機を駆動することで外気を筐体内に導入して排気口から排気する技術にあっては、外気を導入する程の筐体内温度には達していない場合にも、排気口から汚れた空気を流入させないためファンを常時駆動しなければならず、従って、送風機の運転時間が長くなり、外気を清浄化するために設けられたフィルタが短期間で汚れ、短期間でフィルタの交換を行う必要が発生し交換の手間とコストが掛かるといった問題があった。
【０００７】
本発明は前記した問題点を解決せんとするもので、その目的とするところは、筐体内の温度が高くなった場合には、吸気口と排気口とを開放して外気を導入して筐体内を冷却し、また、筐体内の温度が低下して外気を導入するほどでない場合には前記吸気口と排気口とを閉塞して筐体内で空気を循環して冷却することで、筐体内の効率的な温度管理と外気導入によるフィルタの汚れを少なくした情報表示装置を提供せんとするにある。
【課題を解決するための手段】
【０００８】
本発明の情報表示装置は前記した目的を達成せんとするもので、請求項１の手段は、空気の流路が少なくとも２つ以上形成されるように透明板と表示ユニットおよび電気回路部とを配置した筐体と、該筐体に形成された外気を導入する吸気口と、前記筐体内の前記流路を通過した空気を外部に排気する排気口と、前記吸気口から外気を導入し前記排気口から外部に排気させるためのファンと、前記吸気口および排気口に閉塞および開放可能に取付けられた風向制御板と、該風向制御板を同時に開放状態と閉塞状態に制御する駆動機構とより構成し、前記風向制御板を開放することで外気を筐体内に導入、かつ、排気し、また、風向制御板を閉塞することで筐体内の空気を循環させるようにしたものである。
【０００９】
請求項２の手段は、前記した請求項１の手段において、前記筐体に設けられる吸気口を筐体の背面板における下部位置の両側に２つ配置し、排気口を筐体の背面板における上部位置の中央部に１つ配置すると共に、１つのファンであっても筐体内の空気の淀みを防止したことを特徴とする。
【００１０】
請求項３の手段は、前記した請求項１の手段において、前記表示ユニットと前記透明板との間の流路に流れる前記吸気口よりの風量を、前記表示素子と前記電気回路部との間の流路に流れる風量より多くしたことを特徴とする。
【００１１】
請求項４の手段は、前記した請求項１の手段において、前記駆動機構を駆動して前記風向制御板によって閉塞あるいは開放するタイミングを、前記筐体内に設けられた温度センサよりの出力により、あるいは、表示する表示素子の点灯率によって制御することを特徴とする。
【００１２】
請求項５の手段は、前記した請求項１の手段において、前記駆動機構は、モータによって回転するシャフトと、該シャフトと前記風向制御板とを接続し、かつ、前記シャフトの回転によって各風向制御板を同時に閉塞状態と開放状態とするリンクとで構成したことを特徴とする。
【発明の効果】
【００１３】
本発明は前記したように、外気を導入する吸気口と、筐体内を循環した空気を排気する排気口とに風向制御板を設け、かつ、それぞれの風向制御板を同時に制御して吸気口と排気口を閉塞したり開放したりするようにしたので、風向制御板を開放することで筐体内に外気の導入が行われ、また、風向制御板を閉塞することで筐体内の空気を循環させることができるように構成したので、筐体内の温度が高くなった場合には外気を導入して冷却し、外気を導入するほどに筐体内の温度が高くない場合には筐体内の空気を循環して冷却することができるので、フィルタ交換を頻繁に行う必要がなくなり、フィルタ交換のためのメンテナンスを軽減することができる。
【００１４】
また、筐体に設けられる吸気口を筐体の背面板における下部位置の両側に２つ配置し、排気口を筐体の背面板における上部位置の中央部に１つ配置することで１つのファンであっても筐体内の空気の淀みを防止でき、かつ、下部から吸気し上部から排気することで、外気導入時において熱対流をより有効なものとすることができる。
【００１５】
さらに、表示素子と前記透明板との間の流路に流れる吸気口よりの風量を、表示素子と電気回路部との間の流路に流れる風量より多くすることで、発熱量の多い部分をより効率的に冷却できるため、筐体内全体の温度を低下させることができる。
【００１６】
また、駆動機構を駆動して前記風向制御板によって閉塞あるいは開放するタイミングを、前記筐体内に設けられた温度センサよりの出力により、あるいは、前記表示素子によって表示する点灯率によって制御することで、外気導入か循環かの判断が自動的、かつ、正確に行われて筐体内の温度の上昇を確実に防止することができる。
【００１７】
さらに、駆動機構は、モータによって回転するシャフトと、該シャフトと風向制御板とを接続し、かつ、シャフトの回転によって各風向制御板を同時に閉塞状態と開放状態とするリンクとで構成したので、簡単な構造であることから故障もなく、かつ、コストの低減を図ることができる等の効果を有するものである。
【発明を実施するための最良の形態】
【００１８】
外気を導入する吸気口と、筐体内を循環した空気を排気する排気口とに風向制御板を設け、かつ、それぞれの風向制御板を同時に制御して吸気口と排気口を閉塞したり開放したりするようにしたので、風向制御板を開放することで筐体内に外気の導入が行われ、また、風向制御板を閉塞することで筐体内の空気を循環させることができるものである。
【実施例１】
【００１９】
以下、本発明に掛かる情報表示装置の実施例を図１〜図４と共に説明する。
１は筐体にして、前面板１ａの開口部には硝子等の透明板２が密閉状態で取付けられている。３は前記透明板２の背面側に空気の流路ａを介して設置された表示素子としてのＬＥＤがドットマトリックス状に配置された表示ユニットである。４は表示しない支持具に前記表示ユニット３と一体で取付けられＬＥＤを点灯制御するための駆動基板にして、前記表示ユニット３との間には空気の流路ｂが形成されている。
【００２０】
５は前記表示ユニット３を制御するための制御回路および電源ユニットが組み込まれた電気回路部にして、前記駆動基板４および後述する排気口７に向かって空気の流路ｃを形成するための第１ダクト板６、第２ダクト板７との間にも隙間が形成されている。第１ダクト板６は前記流路ｃに流れる風量を絞るために上端が折曲された絞り板部６ａが形成され、かつ、筐体１の背面板１ｂとの間に空気の排気流路ｄを形成している。また、第２ダクト板７は前記第１ダクト板６と上下方向に間隔を介して配置され、かつ、筐体１の背面板１ｂとの間に空気の吸気流路ｅを形成している。
【００２１】
８は筐体１の背面板１ｂの左右位置における下方に開口された外気を導入するための２つの吸気口にして、雨や埃等が直接入り込まないように覆い板８ａが取付けられている。また、吸気口８には埃や塩分等を除去するためのフィルタ８ｂが取付けられている。
【００２２】
９は筐体１の背面板１ｂの中央位置における上方に開口され筐体１内の熱された空気を排気するための排気口にして、前記吸気口８の覆い板８ａと同様に覆い板９ａが取付けられている。１０は前記した空気の排気流路ｄ内に取付けられたファンにして、該ファン１０を駆動することで前記吸気口８から外気を導入し、前記した各風の流路ａ〜ｅを通過させた後に排気口９より熱せられた空気を排気する。
【００２３】
１１は筐体１の背面板１ｂにおける前記２つの吸気口８が形成された上縁部に回動自在に取付けられた風向制御板にして、該風向制御板１１が後述する駆動機構１３によって回動されて吸気口８を閉塞したり開放したりする。１２は同じく背面板１ｂにおける前記排気口９が形成された下縁部に回動自在に取付けられた風向制御板にして、該風向制御板１１が駆動機構１３によって回動されて排気口９を閉塞したり開放したりする。
【００２４】
駆動機構１３は筐体１内に固定されたモータ１３ａと、該モータ１３ａによって回転されるシャフト１３ｂと、該シャフト１３ｂを回転自在に支持する一対の軸受け１３ｃと、前記シャフト１３ｂと前記３つの風向制御板１１，１２とを接続し、前記モータ１３ａが回転することにより、全ての風向制御板１１，１２を回動させて吸気口８および排気口９を同時に閉塞し、また、前記モータ１３が逆回転することにより全ての風向制御板１１，１２を回動させて吸気口８および排気口９を同時に開放するためのリンク１３ｄとより構成されている。
【００２５】
なお、図示しないが筐体１内の上部には温度センサが取付けられ、該温度センサが予め設定した温度以上を検出したときに駆動機構１３のモータ１３ａに通電して風向制御板１１，１２を開放方向に回動させて外気の導入を行い、また、温度センサが前記設定した温度より低いときには駆動機構１３のモータ１３ａに通電して風向制御板１１，１２を閉塞して筐体１内で空気を循環させ、さらに、冬季等において冷却が不要な場合にはファン１０への通電を停止するように構成されている。
【００２６】
なお、前記温度センサに代えて点灯する表示素子の全表示素子に対する比である点灯率、すなわち、表示素子を点灯している数が多い場合には点灯率が高く、少ない場合には点灯率が低いで決定し、点灯率が予め設定した点灯率より高い場合には風向制御板１１，１２を開放方向に周期的に回動させて外気の導入を行い、また、点灯率が低い場合には風向制御板１１，１２を閉塞して空気を循環させてもよい。
【００２７】
次に、前記した構成に基づいて筐体内を冷却する方法について説明する。
初めに、情報表示装置に表示が行われ、かつ、温度センサで予め設定した第１の温度検出が行われるとファン１０に通電され、空気の内部循環が実行される。この状態で、前記した電気回路部５において温度センサで検出した温度が第２の設定温度よりも高いと判断した場合あるいは表示素子の点灯率が高いと判断した場合には、前記電気回路部５は駆動機構１３のモータ１３ａの通電を行う。これにより、シャフト１３ｂが回転してリンク１３ｄを介して吸気口８および排気口９に設けられている風向制御板１１，１２が回動されて吸気口８および排気口９を開放する。
【００２８】
これにより、２つの吸気口８より外気が筐体１内に導入されて、流路ｅを介して流路ａ，ｂ，ｃに導入される。ここで、最も温度上昇が高い部分が表示ユニット３の前面であるとすると流路ａの風量が、例えば、全体の７０％となるように前記第１ダクト板６の絞り板６ａによって調節することで行える。そして、他の流路ｂ，ｃには残りの３０％の風量となる。従って、筐体１内全体を効率良く冷却することが可能となり、かつ、表示ユニット３の図示しないリード線を含む駆動基板４を効率よく冷却できるので表示素子の信頼性が高くなる。
【００２９】
前記流路ａ〜ｃを通過した外気は流路ｄを介して排気口９より外部に排気される。なお、前記吸気口８にはフィルタ８ｂが設けられているので、外気の吸引時に外気中に含まれている埃や塩分等は除去される。
【００３０】
そして、前記した動作によって筐体１内の温度が低下しあるいは点灯率が低くなったと電気回路部５が判断すると、風向制御板１１，１２によって吸気口８および排気口９を閉塞し、前記したファン１０による空気の内部循環に移行する。
【００３１】
これにより、ファン１９は連続して動作状態となり、筐体１内の空気は前記した流路ａ〜ｅ内を前記したと同じ状態で循環させるため、筐体１内の温度上昇を防止することができる。そして、外気導入が停止することで、フィルタ８ｂへの外気の流入が停止するので、フィルタ８ｂにおける埃や塩分等の堆積が制限され、従って、フィルタ８ｂのメンテナンスの回数を少なくすることが可能となる。
【００３２】
さらに、夜間や冬季等において温度センサが前記した第１の設定温度以下の温度を検出し筐体１内の温度が冷却する必要がないまで低下したと電気回路部５が判断すると、表示の有無に係わらずファン１０への通電を停止して省電力化を図る。ただし、寒冷地に設置される情報表示装置で、冬季に着雪する場合には、着雪防止のための暖気循環用としてファン１０への通電を継続してもよい。
【図面の簡単な説明】
【００３３】
【図１】本発明に係る情報表示装置の断面図である。
【図２】同上の背面図である。
【図３】駆動機構の構成を説明するための構成図である。
【図４】（ａ）は風向制御板を開放して外気を取り込んでいる状態を示す説明図、（ｂ）は風向制御板を閉塞して循環状態を示す説明図である。
【符号の説明】
【００３４】
１          筐体
２          透明板
３          表示ユニット
４          駆動基板
５          電気回路部
６          第１ダクト板
７          第２ダクト板
８          吸気口
９          排気口
１０        ファン
１１，１２  風向制御板
１３        駆動機構
１３ａ      モータ
１３ｂ      シャフト
１３ｄ      リンク
【図１】
2005134849.tif 000003
【図２】
2005134849.tif 000004
【図３】
2005134849.tif 000005
【図４】
2005134849.tif 000006